(57)【要約】【課題】１回の撮影で撮影条件の異なる複数の動画を簡易に取得できる撮像装置を提供する。【解決手段】撮像装置では、動画表示のためのフレームレートに対して３倍のフレームレートで撮影が可能である。この動画撮影時には、例えば主被写体に関する合焦位置に関して、後ピン、ジャストピントおよび前ピンの３段階にピント条件を変更しつつ、３種類のフレーム画像を撮影する動作を繰り返す。これにより、後方の自動車Ｐ１に合焦する画像(ａ)で構成される動画、中央の自動車Ｐ２に合焦する画像(ｂ)で構成される動画、および手前の自動車Ｐ３に合焦する画像(ｃ)で構成される動画それぞれが記録できる。その結果、１回の撮影で撮影条件の異なる３種類の動画を簡易に取得できることとなる。【選択図】図５
2006025310.tif 000002
【特許請求の範囲】
【請求項１】
画像表示が可能な表示手段を有する撮像装置であって、
(a)被写体に係るフレーム画像を順次に生成する撮像手段と、
(b)前記表示手段に動画を表示する際の表示フレームレートに対してＮ倍（Ｎは２以上の整数）のフレームレートで前記撮像手段を駆動する駆動手段と、
(c)前記駆動手段による前記撮像手段の駆動ごとに撮影条件をＭ段階（Ｍは整数で２≦Ｍ≦Ｎ）に変更しつつ、前記フレーム画像を前記Ｎ倍のフレームレートで順次に取得する制御手段と、
を備えることを特徴とする撮像装置。
【請求項２】
請求項１に記載の撮像装置において、
前記制御手段は、
(c-1)撮影条件の各段階を区別する判別情報を前記フレーム画像に付与する付与手段、
を有することを特徴とする撮像装置。
【請求項３】
請求項２に記載の撮像装置において、
前記制御手段は、
(c-2)前記付与手段により前記判別情報が付与された前記フレーム画像を順次に記録手段に記録させる記録制御手段と、
(c-3)前記記録手段に記録されている複数のフレーム画像から前記判別情報の共通するフレーム画像を抽出し、前記表示フレームレートで順次に前記表示手段に表示させる再生手段、
を有することを特徴とする撮像装置。
【請求項４】
請求項１ないし請求項３のいずれかに記載の撮像装置において、
前記撮影条件は、合焦状態、露出の条件、撮像光学系に係る焦点距離の条件およびホワイトバランスの条件からなる群から選択される少なくとも１の条件を含むことを特徴とする撮像装置。
【請求項５】
請求項１ないし請求項４のいずれかに記載の撮像装置において、
前記Ｍ段階の撮影条件に対応するＭ個の撮影制御パラメータは、所定の処理を経て設定された基準パラメータと、前記基準パラメータを中心に前後にずらせた前後のパラメータとを含むことを特徴とする撮像装置。
【請求項６】
請求項５に記載の撮像装置において、
前記所定の変更パターンでは、前記基準パラメータを中心に前記前後のパラメータを振幅として振動させるようにして、前記撮影条件が変更されることを特徴とする撮像装置。
【請求項７】
撮像装置であって、
(a)被写体に係るフレーム画像を順次に生成する撮像手段と、
(b)所定のフレームレートで前記撮像手段を駆動する駆動手段と、
(c)前記駆動手段による前記撮像手段の駆動ごとに撮影条件をＭ段階（Ｍは整数で２≦Ｍ≦Ｎ）に変更しつつ、前記フレーム画像を前記所定のフレームレートで順次に取得する制御手段と、
を備えることを特徴とする撮像装置。
【請求項８】
請求項７に記載の撮像装置において、
前記所定のフレームレートは、動画を表示する際のフレームレートであることを特徴とする撮像装置。
【発明の詳細な説明】
【技術分野】
【０００１】
本発明は、被写体に係るフレーム画像を順次に生成する撮像装置に関する。
【背景技術】
【０００２】
撮像装置においては、動画撮影を行って、その再生を行えるものがある。
【発明の開示】
【発明が解決しようとする課題】
【０００３】
しかしながら、上記の撮像装置の動画撮影では、被写体を取り巻く光の状況やその位置が刻々と変化するのが普通であり、撮影者が所定の条件で１度の撮影を行っても、その結果が所定の結果として再生されるかどうかは再生してみるまでは分からない。よって、再生時になって初めて不満足な結果が得られたことがわかることとなる。
【０００４】
本発明は、上記課題に鑑みてなされたものであり、１回の撮影で撮影条件の異なる複数の動画を簡易に取得できる撮像装置を提供することを目的とする。
【課題を解決するための手段】
【０００５】
上記の課題を解決するため、請求項１の発明は、画像表示が可能な表示手段を有する撮像装置であって、(a)被写体に係るフレーム画像を順次に生成する撮像手段と、(b)前記表示手段に動画を表示する際の表示フレームレートに対してＮ倍（Ｎは２以上の整数）のフレームレートで前記撮像手段を駆動する駆動手段と、(c)前記駆動手段による前記撮像手段の駆動ごとに撮影条件をＭ段階（Ｍは整数で２≦Ｍ≦Ｎ）に変更しつつ、前記フレーム画像を前記Ｎ倍のフレームレートで順次に取得する制御手段とを備え、前記所定の変更パターンは、前記撮影条件をＭ段階（Ｍは整数で２≦Ｍ≦Ｎ）に変更するパターンである。
【０００６】
また、請求項２の発明は、請求項１の発明に係る撮像装置において、前記制御手段は、(c-1)撮影条件の各段階を区別する判別情報を前記フレーム画像に付与する付与手段を有する。
【０００７】
また、請求項３の発明は、請求項２の発明に係る撮像装置において、前記制御手段は、(c-2)前記付与手段により前記判別情報が付与された前記フレーム画像を順次に記録手段に記録させる記録制御手段と、(c-3)前記記録手段に記録されている複数のフレーム画像から前記判別情報の共通するフレーム画像を抽出し、前記表示フレームレートで順次に前記表示手段に表示させる再生手段を有する。
【０００８】
また、請求項４の発明は、請求項１ないし請求項３のいずれかの発明に係る撮像装置において、前記撮影条件は、合焦状態、露出の条件、撮像光学系に係る焦点距離の条件およびホワイトバランスの条件からなる群から選択される少なくとも１の条件を含む。
【０００９】
また、請求項５の発明は、請求項１ないし請求項４のいずれかの発明に係る撮像装置において、前記Ｍ段階の撮影条件に対応するＭ個の撮影制御パラメータは、所定の処理を経て設定された基準パラメータと、前記基準パラメータを中心に前後にずらせた前後のパラメータとを含む。
【００１０】
また、請求項６の発明は、請求項５の発明に係る撮像装置において、前記所定の変更パターンでは、前記基準パラメータを中心に前記前後のパラメータを振幅として振動させて、前記撮影条件が変更される。
【００１１】
また、請求項７の発明は、撮像装置であって、(a)被写体に係るフレーム画像を順次に生成する撮像手段と、(b)所定のフレームレートで前記撮像手段を駆動する駆動手段と、(c)前記駆動手段による前記撮像手段の駆動ごとに撮影条件をＭ段階（Ｍは整数で２≦Ｍ≦Ｎ）に変更しつつ、前記フレーム画像を前記所定のフレームレートで順次に取得する制御手段とを備え、前記所定の変更パターンは、前記撮影条件を複数の段階に変更するパターンである。
【００１２】
また、請求項８の発明は、請求項７の発明に係る撮像装置において、前記所定のフレームレートは、動画を表示する際のフレームレートである。
【発明の効果】
【００１３】
請求項１ないし請求項６の発明によれば、撮影条件をＭ段階に変更する変更パターンに基づく撮影条件の変更を撮像手段の駆動ごとに行いつつ、動画を表示する際の表示フレームレートに対してＮ倍のフレームレートでフレーム画像を順次に取得する。その結果、１回の撮影で撮影条件の異なる複数の動画を簡易に取得できる。
【００１４】
特に、請求項２の発明においては、撮影条件の各段階を区別する判別情報をフレーム画像に付与するため、撮影条件が異なる各画像の分類が容易になる。
【００１５】
また、請求項３の発明においては、記録手段に記録されている複数のフレーム画像から判別情報の共通するフレーム画像を抽出し、表示手段に順次に表示させるため、撮影条件の異なる動画ごとの再生を簡易に行える。
【００１６】
また、請求項５の発明においては、Ｍ段階の撮影条件に対応するＭ個の撮影制御パラメータは、所定の処理を経て設定された基準パラメータと、基準パラメータを中心に前後にずらせた前後のパラメータとを含むため、撮像条件の各段階を適切に設定できる。
【００１７】
また、請求項６の発明においては、所定の変更パターンでは、基準パラメータを中心に前後のパラメータを振幅として振動させるようにして、撮影条件が変更されるため、撮影条件の変更をスムーズに行える。
【００１８】
また、請求項７および請求項８の発明によれば、撮影条件を複数の段階に変更する変更パターンに基づく撮影条件の変更を撮像手段の駆動ごとに行いつつ、フレーム画像を所定のフレームレートで順次に取得する。その結果、１回の撮影で撮影条件の異なる複数の動画を簡易に取得できる。
【００１９】
また、請求項８の発明においては、所定のフレームレートが動画を表示する際のフレームレートであるため、従来と同様の装置構成で撮影条件の異なる複数の動画を簡易に取得できる。
【発明を実施するための最良の形態】
【００２０】
＜第１実施形態＞
＜撮像装置の要部構成＞
図１は、本発明の第１実施形態に係る撮像装置１Ａを示す斜視図である。また、図２は、撮像装置１Ａの背面図である。なお、図１および図２には方位関係を明確にするために互いに直交するＸ，Ｙ，Ｚの三軸を示している。
【００２１】
撮像装置１Ａは、例えばデジタルカメラとして構成されており、カメラ本体１０の前面には撮影レンズ１１とフラッシュ１２とが設けられている。撮影レンズ１１の奥には、撮影レンズ１１を介して入射する被写体像を光電変換してカラーの画像信号を生成する撮像素子２１が設けられている。本実施形態では、撮像素子２１としてＣ−ＭＯＳタイプの撮影素子を用いる。
【００２２】
撮影レンズ１１は、ズームレンズ１１１とフォーカスレンズ１１２(図３参照)とを含んでおり、これらのレンズを光軸方向に駆動することにより、撮像素子２１に結像される被写体像のズーミングや合焦を実現することができる。
【００２３】
撮像装置１Ａの上面には、シャッターボタン１３が配設されている。このシャッターボタン１３は、被写体の撮影を行うときにユーザがその押下操作を行って撮像装置１Ａに撮影指示を与えるもので、半押し状態(Ｓ１状態)と押し込んだ全押し状態(Ｓ２状態)とを検出可能な２段階スイッチとして構成されている。ここで、撮影モードとして動画撮影が設定された状態で全押し状態(Ｓ２状態)とすれば、再度全押し状態とされるまでの期間、動画撮影が行われることとなる。
【００２４】
撮像装置１Ａの側面部には、シャッターボタン１３の押下操作に伴う本撮影動作で得られた画像データを記録するメモリカード９を装着する装着部１４が形成されている。さらに、撮像装置１Ａの側面には、装着部１４からメモリカード９を取り出す際に操作するカード取り出しボタン１５が配設されている。
【００２５】
撮像装置１Ａの背面には、本撮影前に被写体を動画的態様で表示するライブビュー表示や、撮影した画像等の画像表示を行う液晶ディスプレイ(ＬＣＤ：Liquid Crystal Display)１６と、シャッタースピードやズームなど撮像装置１Ａの各種設定状態を変更するための背面操作部１７とが設けられている。
【００２６】
背面操作部１７は、複数の操作ボタン１７１〜１７３で構成されており、例えば操作ボタン１７１に対する操作によってズーム操作や露出設定等を行えるとともに、操作ボタン１７３に対する操作によって動画撮影モードや再生モードに設定できる。
【００２７】
図３は、撮像装置１Ａの機能ブロックを示す図である。以下では、動画撮影のシーケンスに沿って、各部の機能を説明する。なお、本実施形態では動画フォーマットとしてＭｏｔｉｏｎＪＰＥＧ形式を用いている。
【００２８】
メインスイッチが操作されカメラが起動された場合には、ズームレンズ１１１およびフォーカスレンズ１１２を通って被写体光像が撮像素子２１に結像され、被写体に関するアナログ信号のフレーム画像が順次に生成される。そして、このアナログ信号は、信号処理部２２でのＡ／Ｄ変換によりデジタル信号に変換されて、メモリ２３に一次記憶される。
【００２９】
メモリ２３に一次記憶された画像データは、画像処理部２４でγ変換やアパーチャコントロール等の画像処理を行った後、ＬＣＤ１６に表示するための処理が施されてＬＣＤ１６にライブビュー表示される。
【００３０】
このような被写体のライブビュー表示により、構図の確認を行えるとともに、被写体の画像を視認しつつ操作ボタン１７１への操作によって画角を変更できる。この場合、操作ボタン１７１によるズーム操作が制御部２０Ａで検出されると、ズームレンズ１１１を駆動してユーザの所望する画角が設定されることとなる。なお、撮像装置１Ａの撮像素子２１では、後述のように９０ｆｐｓでの撮像が可能であるが、ライブビュー表示の際にはＬＣＤ１６で３フレームに１回の頻度で画像が更新される。
【００３１】
そして、制御部２０Ａがシャッターボタン１３の半押し(Ｓ１)を検出すると、撮像素子２１からの出力に基づきＡＥ演算部２５が撮影画像全体に対して適正な露出量を演算して、シャッタースピードや、信号処理部２２におけるアンプのゲインを設定する。
【００３２】
ＡＥ演算部２６での演算が終了すると、ホワイトバランス(ＷＢ)演算部２７で適正なＷＢ設定値を演算して、画像処理部２４でホワイトバランス補正を行うためのＲゲインおよびＧゲインを設定する。
【００３３】
そして、ＷＢ演算部２７での演算が終了すると、合焦演算部２５において、撮像素子２１からの出力に基づきコントラスト方式のＡＦで利用するＡＦ評価値を演算し、この演算結果に基づきフォーカスレンズ１１２の駆動を制御部２０Ａが制御して、被写体に合焦させる。具体的には、フォーカスモータ(不図示)を駆動し、撮像素子２１で取得される画像の高周波成分がピークとなるレンズ位置を検出して、この位置にフォーカスレンズ１１２を移動させる。
【００３４】
次に、シャッターボタン１３の全押しが行われると、動画撮影が開始する。動画撮影中、画像処理部２４からの画像データはメモリカード９に保存される。そして、再度全押しが行われると動画撮影は終了する。ライブビュー表示は引き続き行われる。
【００３５】
以上で説明した撮像装置１Ａの動画撮影のシーケンスは、制御部２０Ａが各部を統括的に制御することにより実行される。
【００３６】
制御部２０Ａは、ＣＰＵを有するとともに、ＲＯＭ２０１およびＲＡＭ２０２を備えている。そして、このＲＯＭ２０１には、撮像装置１Ａを制御するための各種の制御プログラムが格納される。
【００３７】
以下では、撮像装置１Ａの動画撮影動作および再生動作について詳述する。
【００３８】
＜動画撮影動作および再生動作＞
図４は、撮像装置１Ａにおける動画撮影動作および再生動作を説明するための図である。図４(ａ)〜(ｄ)においては、横軸が時間軸を表している。
【００３９】
撮像装置１Ａの撮像素子２１では、図４(ａ)に示すように、９０ｆｐｓ、つまりフレーム間の時間間隔が約１１.１ｍｓで動画撮影が可能となっている。すなわち、ＬＣＤ１６に動画を表示する際の表示フレームレート(３０ｆｐｓ)に対して３倍のフレームレートで撮像素子２１を駆動できる。なお、図４(ａ)中の数字１、２、３、・・・は、フレーム番号(Ｎｏ)で、番号が増加するほど後で撮影されたことを表している。
【００４０】
このようなフレームレートで録画された動画についても、一般的な３０ｆｐｓのフレームレート（フレーム間の時間間隔が約３３.３ｍｓ）で再生すれば人の目で見る限り十分に動画として通用するため、撮像装置１Ａでは、９０ｆｐｓで記録された動画に対して１／３に間引きして再生する。
【００４１】
具体的には、図４(ｂ)に示すように、図４(ａ)に示すフレーム群（Ｎｏ.１〜２４)のうち、フレームＮｏが１、４、７・・・、つまり３ｎ−２(ｎは自然数）となる画像を抽出して、動画として再生する。なお、以下では、説明の便宜上、フレームＮｏが１、４、７・・・の画像をａ系列の画像群と呼び、ａ１、ａ２、ａ３・・・とも表示する。
【００４２】
また、図４(ｃ)に示すように、図４(ａ)に示すフレーム群（Ｎｏ.１〜２４)のうち、フレームＮｏが２、５、８・・・、つまり３ｎ−１(ｎは自然数）となる画像を抽出して、動画として再生する。なお、以下では、説明の便宜上、フレームＮｏが２、５、８・・・の画像をｂ系列の画像群と呼び、ｂ１、ｂ２、ｂ３・・・とも表示する。
【００４３】
また、図４(ｄ)に示すように、図４(ａ)に示すフレーム群（Ｎｏ.１〜２４)のうち、フレームＮｏが３、６、９・・・、つまり３ｎ(ｎは自然数）となる画像を抽出して、動画として再生する。なお、以下では、説明の便宜上、フレームＮｏが３、６、９・・・の画像をｃ系列の画像群と呼び、ｃ１、ｃ２、ｃ３・・・とも表示する。
【００４４】
以上のように撮像装置１Ａでは、１回の撮影でａ〜ｃ系列の画像群を同時に取得できるが、これらａ〜ｃ系列それぞれで異なる撮影条件の撮影を行うことで、３種類の動画の取得が可能となる。例えば、ａ〜ｃ系列の画像群それぞれで、撮影レンズを主被写体（ここでは画像中央に位置する部分とする）に対して、合焦の位置、少し手前に合焦する位置、少し奥に合焦する位置の３段階に変更しつつ撮影することで、３種類の合焦状態の動画が取得できる。具体的には、合焦条件を上記の３つの合焦位置に順番に変更する変更パターンに基づく撮影条件の変更を撮像素子２１の駆動ごとに行いつつ、フレーム画像を９０ｆｐｓのフレームレートで順次に取得する。
【００４５】
図５は、３種類の合焦状態を説明するための図である。図５(ａ)〜(ｃ)は、それぞれ３台の自動車Ｐ１〜Ｐ３が走行しているシーンを表しており、撮像装置１Ａからの距離が自動車Ｐ３、Ｐ２、Ｐ１の順番で後ろになるほど大きくなっている。
【００４６】
図５(ａ)に示す画像は、合焦演算部２５で主被写体(合焦被写体)の自動車Ｐ２に対する合焦演算を行った後に、この合焦位置から多少奥に合焦位置を設定して撮影した画像であり、自動車Ｐ１に合焦している。すなわち、合焦演算（所定の処理）を経て設定された合焦位置に対応する基準パラメータを所定量だけ後ろにずらせた撮影制御パラメータに基づく撮影により自動車Ｐ１に合焦している。なお、図５(ａ)〜(ｃ)では、自動車Ｐ１〜Ｐ３を描く線幅が太くなるほど合焦状態から外れていることを表現している。
【００４７】
図５(ｂ)に示す画像は、合焦演算部２５で主被写体の自動車Ｐ２に対する合焦演算を行った後に、この合焦位置で撮影した画像であり、画面中央の自動車Ｐ１に合焦している。
【００４８】
図５(ｃ)に示す画像は、合焦演算部２５で主被写体の自動車Ｐ２に対する合焦演算を行った後に、この合焦位置から多少手前に合焦位置を設定して撮影した画像であり、自動車Ｐ３に合焦している。すなわち、合焦演算（所定の処理）を経て設定された合焦位置に対応する基準パラメータを所定量だけ前にずらせた撮影制御パラメータに基づく撮影により自動車Ｐ３に合焦している。
【００４９】
以上のように、撮像装置１Ａでは、３種類の合焦状態で撮影可能であるため、ユーザは、動画撮影時に合焦状態で撮影したい自動車に正確に合焦しているのか否かを気にしないで撮影に専念できる。
【００５０】
以上のような３種類の合焦状態の動画を取得する具体的な動画撮影動作を、次で説明する。
【００５１】
図６は、撮像装置１Ａにおける動画撮影動作を説明するフローチャートである。本動作は、制御部２０Ａによって実行される。
【００５２】
まず、操作ボタン１７３の操作により、動画撮影モードに設定され、ＬＣＤでプレビュー表示が行われている状態で、ユーザによってシャッターボタン１３が半押しされたかを判定する(ステップＳＴ１)。ここで、シャッターボタン１３が半押しされた場合には、ステップＳＴ２に進み、半押しされていない場合には、ステップＳＴ１を繰り返す。
【００５３】
ステップＳＴ２では、ＡＥ演算部２６でＡＥ演算を行い、適正な撮像素子２１のシャッタースピードおよび信号処理部２２のゲインを決定する。
【００５４】
ステップＳＴ３では、ＷＢ演算部２７でＷＢ演算を行い、適正なＲゲインおよびＢゲインを決定する。
【００５５】
ステップＳＴ４では、合焦演算部２５で合焦演算を行い、上述したコントラスト方式のＡＦによってフォーカスレンズ１１２を主被写体の合焦位置に移動させる。
【００５６】
ステップＳＴ５では、ユーザによってシャッターボタン１３が全押しされたかを判定する。ここで、シャッターボタン１３が全押しされた場合には、ステップＳＴ６に進み、全押しされていない場合には、ステップＳＴ２に戻る。
【００５７】
ステップＳＴ６では、フォーカスレンズ１１２の合焦位置を奥側に設定する。具体的には、ステップＳＴ４で検出した主被写体の合焦位置から、フォーカスレンズ１１２を合焦位置が奥側に対応する方向に移動させる。
【００５８】
ステップＳＴ７では、ステップＳＴ６で設定された合焦状態で図５(ａ)に示すようなａ系列の画像を撮影する。ここで、撮像素子２１で取得された画像は、信号処理部２２で信号処理されメモリ２３に一旦格納された後に、画像処理部２４で画像処理が施されてメモリカード９に記録される。
【００５９】
ステップＳＴ８では、フォーカスレンズ１１２を合焦位置に設定する。具体的には、ステップＳＴ４で検出した主被写体の合焦位置に、フォーカスレンズ１１２を移動させる。
【００６０】
ステップＳＴ９では、主被写体に合焦の状態で図５(ｂ)に示すようなｂ系列の画像を撮影する。ここで、撮像素子２１で取得された画像は、信号処理部２２で信号処理されメモリ２３に一旦格納された後に、画像処理部２４で画像処理が施されてメモリカード９に記録される。
【００６１】
ステップＳＴ１０では、フォーカスレンズ１１２の合焦位置を手前側に設定する。具体的には、ステップＳＴ４で検出した主被写体の合焦位置から、フォーカスレンズ１１２を合焦位置が手前側に対応する方向に移動させる。
【００６２】
ステップＳＴ１１では、ステップＳＴ１０で設定された合焦状態で図５(ｃ)に示すようなｃ系列の画像を撮影する。ここで、撮像素子２１で取得された画像は、信号処理部２２で信号処理されメモリ２３に一旦格納された後に、画像処理部２４で画像処理が施されてメモリカード９に記録される。
【００６３】
ステップＳＴ１２では、シャッターボタン１３が再度全押しされたかを判定する。ここで、シャッターボタン１３が全押しされた場合には、ステップＳＴ１３に進み、全押しされていない場合には、ステップＳＴ６に戻り、撮影動作を繰り返す。
【００６４】
ステップＳＴ１３では、後処理を行う。具体的には、上記のステップＳＴ７、ＳＴ９、ＳＴ１１の動作によりメモリ２３に未だ残っている画像に対して、画像処理を施し後述するタブの作成を行いメモリカード９に記録する動作を行う。
【００６５】
ステップＳＴ１４では、後処理が終了したかを判定する。ここで、後処理が終了した場合には、ステップＳＴ１に戻り、後処理が終了していない場合には、ステップＳＴ１３を繰り返す。
【００６６】
以上のような動画撮影動作により、図７に示す各フレームの画像が取得できることとなる。すなわち、ステップＳＴ７の動作によってフレームｆ１(ａ１)、ｆ４(ａ２)、ｆ７(ａ３)、ｆ１０(ａ４)のａ系列の画像が順次に撮影され、ステップＳＴ９の動作によってフレームｆ２(ｂ１)、ｆ５(ｂ２)、ｆ８(ｂ３)、ｆ１１(ｂ４)のｂ系列の画像が順次に撮影されるとともに、ステップＳＴ１１の動作によってフレームｆ３(ｃ１)、ｆ６(ｃ２)、ｆ９(ｃ３)、ｆ１２(ｃ４)のｃ系列の画像が順次に撮影される。
【００６７】
なお、上記のステップＳＴ６およびステップＳＴ１０においては、主被写体の合焦位置から所定量だけ前後にずらせて設定するのは必須でなく、例えば図５に示す自動車Ｐ１および自動車Ｐ３それぞれに対する合焦演算を撮像の都度行って合焦させるようにしても良い。この場合には、主被写体以外のターゲットに対して合焦精度が向上する。
【００６８】
以上のように撮影された動画の再生について、以下で説明する。
【００６９】
図８は、メモリカード９に記録されたフレーム画像のデータ配列を示す図である。
【００７０】
記録された各フレームの画像データＤＩには、撮影条件等を示すタグ情報ＴＧが付加されているが、このタグ情報ＴＧの一部ＴＧｐに、画像データＤＩが、どの撮影条件で撮影されたか、つまりどの合焦状態で撮影されたかを示す撮影条件タグが設けられている。
【００７１】
このように撮影条件の各段階を区別する判別情報をフレーム画像に付与することにより、記録された画像データがａ系列、ｂ系列、ｃ系列のいずれの画像に該当するかが判断でき、適切な再生を行える。すなわち、撮影条件タグ(判別情報)が付与されたフレーム画像を順次にメモリカード(記録手段)９に記録させた後に、メモリカード９に記録されている複数のフレーム画像から撮影条件タグの情報が共通するフレーム画像を抽出し、表示のためのフレームレートで順次にＬＣＤ１６に表示させることにより、撮影条件の異なる動画ごとの再生を簡易に行えることとなる。
【００７２】
図９は、撮像装置１Ａにおける動画再生動作を説明するフローチャートである。本再生動作は、制御部２０Ａによって実行される。
【００７３】
ステップＳＴ２１では、操作ボタン１７３に対するユーザの操作に応答して、動画撮影モードで撮影された動画を再生する再生モードに設定する。
【００７４】
ステップＳＴ２２では、再生する動画ファイルを選択する。具体的には、動画ファイルの内容を示すフレーム画像ＭＶを複数表示する選択画面ＧＮ１(図１０)をＬＣＤ１６に表示し、ユーザが操作ボタン１７１を操作することで１つの動画ファイルを指定する。
【００７５】
なお、ステップＳＴ２２では、具体例として選択画面ＧＮ１の左下のフレーム画像ＭＶｓに対応する動画ファイルがユーザによって選択されたものとして、以下の説明を行う。
【００７６】
ステップＳＴ２３では、再生する系列を選択する。具体的には、合焦位置が奥側で撮影されたａ系列のフレーム画像ＭＶａ、合焦状態で撮影されたｂ系列のフレーム画像ＭＶｂ、および合焦位置が手前側で撮影されたフレーム画像ＭＶｃを表示する選択画面ＧＮ２(図１１)をＬＣＤ１６に表示し、ユーザが操作ボタン１７１を操作することで所望の系列のファイルを指定する。
【００７７】
ステップＳＴ２４では、ステップＳＴ２３で選択された系列の画像を再生する。以下で、この再生動作を具体的に説明する。
【００７８】
図１２は、再生動作を説明するための図である。なお、本図のフレーム画像ｆ１〜ｆ１２は、図７に示す動画撮影時のフレーム画像ｆ１〜ｆ１２に対応している。
【００７９】
ａ系列がユーザによって選択された場合には、図８に示す撮影条件タグＴＧｐの情報に基づき、記録された全フレーム画像からフレーム画像ｆ１(ａ１)、ｆ４(ａ２)、ｆ７(ａ３)、ｆ１０(ａ４)が抽出されて、順番にＬＣＤ１６で再生表示される。
【００８０】
また、ｂ系列がユーザによって選択された場合には、図８に示す撮影条件タグＴＧｐの情報に基づき、記録された全フレーム画像からフレーム画像ｆ２(ｂ１)、ｆ５(ｂ２)、ｆ８(ｂ３)、ｆ１１(ｂ４)が抽出されて、順番にＬＣＤ１６に再生表示される。
【００８１】
同様に、ｃ系列がユーザによって選択された場合には、図８に示す撮影条件タグＴＧｐの情報に基づき、記録された全フレーム画像からフレーム画像ｆ３(ｃ１)、ｆ６(ｃ２)、ｆ９(ｃ３)、ｆ１２(ｃ４)が抽出されて、順番にＬＣＤ１６に再生表示される。
【００８２】
図９に戻って説明を続ける。
【００８３】
ステップＳＴ２５では、ユーザが異なる系列を再生するかを判定する。例えば、ステップＳ２４の再生動作が終了した後に、図１２に示す選択画面ＧＮ２をＬＣＤ１６に表示して、この終了操作をユーザが行ったかを判断する。ここで、異なる系列を再生する場合には、ステップＳＴ２３に戻り、再生しない場合には、ステップＳＴ２６に進む。
【００８４】
ステップＳＴ２６では、ユーザが再生を終了するかを判定する。具体的には、操作ボタン１７３がユーザによって操作され、再生モードが解除されたかを判断する。ここで、再生を終了しない場合には、ステップＳＴ２２に戻る。
【００８５】
以上の撮像装置１Ａの動作により、表示フレームレートの３倍のフレームレートにおいて合焦状態を３段階に変更しつつ撮影を行うため、１回の撮影で３種類の動画を簡易に取得でき、撮影の幅が広がる。また、撮影前に適正と判断していた合焦状態が撮影後に不満に感じても、合焦状態の異なる他の動画を撮影しているため、ユーザが満足する動画の記録が期待できる。
【００８６】
＜第２実施形態＞
本発明の第２実施形態に係る撮像装置１Ｂは、図１〜図３に示す第１実施形態と類似の構成を有しているが、制御部の構成が異なっている。
【００８７】
すなわち、撮像装置１Ｂの制御部２０Ｂでは、以下で説明する動画撮影動作を行うための制御プログラムがＲＯＭ２０１内に格納されている。
【００８８】
＜動画撮影動作＞
撮像装置１Ｂにおいては、第１実施形態の撮像装置１Ａと同様に、図４に示す９０ｆｐｓの動画撮影が可能であり、１回の撮影でａ〜ｃ系列３種類の動画を取得できる。そして、撮像装置１Ｂでは、第１実施形態のように合焦条件を３段階に変更するのはなく、露出条件を３段階に変更する。
【００８９】
図１３は、３種類の露出状態を説明するための図である。図１３(ａ)〜(ｃ)に示す各画像は、逆光の状態で人物ＳＢが撮影されている。
【００９０】
図１３(ａ)に示す画像は、ＡＥ演算部２６でＡＥ演算を行った後に、画像全体に適正な露出状態からアンダー気味に設定して撮影した画像である。
【００９１】
図１３(ｂ)に示す画像は、ＡＥ演算部２６でＡＥ演算を行った後に、画像全体に適正な露出状態(基準パラメータ)に設定して撮影した画像である。
【００９２】
図１３(ｃ)に示す画像は、ＡＥ演算部２６でＡＥ演算を行った後に、画像全体に適正な露出状態からオーバー気味に設定して撮影した画像である。なお、撮影が逆光で行われているため、画面全体に適正な露出状態の図１３(ｂ)に示す画像よりも、オーバー気味で撮影した図１３(ｃ)に示す画像の方が人物ＳＢに対しては適正な露出状態となっている。
【００９３】
以上のように、撮像装置１Ｂでは３種類の露出状態で撮影可能であるため、ユーザは、動画撮影時に人物ＳＢが適正な露出となっているか否かを気にしないで撮影に専念できる。
【００９４】
以上のような３種類の露出状態の動画を取得する具体的な動画撮影動作を、次で説明する。
【００９５】
図１４は、撮像装置１Ｂにおける動画撮影動作を説明するフローチャートである。本動作は、制御部２０Ｂによって実行される。
【００９６】
ステップＳＴ３１〜ＳＴ３５では、図６のフローチャートに示すステップＳＴ１〜ＳＴ５と同様の動作を行う。
【００９７】
ステップＳＴ３６では、露出をアンダーに設定する。具体的には、ステップＳＴ３２で決定された撮像素子２１のシャッタースピードおよび信号処理部２２のゲインを露出のアンダー方向に所定量だけ変更する。
【００９８】
ステップＳＴ３７では、露出がアンダーの状態で図１３(ａ)に示すようなａ系列の画像を撮影する。ここで、撮像素子２１で取得された画像は、信号処理部２２で信号処理されメモリ２３に一旦格納された後に、画像処理部２４で画像処理が施されてメモリカード９に記録される。
【００９９】
ステップＳＴ３８では、露出を適正に設定する。具体的には、ステップＳＴ３２で決定された撮像素子２１のシャッタースピードおよび信号処理部２２のゲインに設定する。
【０１００】
ステップＳＴ３９では、露出が適正の状態で図１３(ｂ)に示すようなｂ系列の画像を撮影する。
【０１０１】
ステップＳＴ４０では、露出をオーバーに設定する。具体的には、ステップＳＴ３２で決定された撮像素子２１のシャッタースピードおよび信号処理部２２のゲインを露出のオーバー方向に所定量だけ変更する。
【０１０２】
ステップＳＴ４１では、露出がオーバーの状態で図１３(ｃ)に示すようなｃ系列の画像を撮影する。
【０１０３】
ステップＳＴ４２〜ＳＴ４４では、図６のフローチャートに示すステップＳＴ１２〜ＳＴ１４と同様の動作を行う。
【０１０４】
以上のような動画撮影動作により、図１５に示す各フレームの画像が取得できることとなる。すなわち、ステップＳＴ３７の動作によってフレームｇ１(ａ１)、ｇ４(ａ２)、ｇ７(ａ３)、ｇ１０(ａ４)のａ系列の画像が順次に撮影され、ステップＳＴ３９の動作によってフレームｇ２(ｂ１)、ｇ５(ｂ２)、ｇ８(ｂ３)、ｇ１１(ｂ４)のｂ系列の画像が順次に撮影されるとともに、ステップＳＴ４１の動作によってフレームｇ３(ｃ１)、ｇ６(ｃ２)、ｇ９(ｃ３)、ｇ１２(ｃ４)のｃ系列の画像が順次に撮影される。
【０１０５】
以上のように撮影された動画の再生については、図９のフローチャートに示す第１実施形態と同様の動作を行う。
【０１０６】
すなわち、ａ系列がユーザによって選択された場合には、図８に示す撮影条件タグＴＧｐの情報に基づき、記録された全フレーム画像から図１５に示すフレーム画像ｇ１(ａ１)、ｇ４(ａ２)、ｇ７(ａ３)、ｇ１０(ａ４)が抽出されて、順番にＬＣＤ１６で再生表示される。
【０１０７】
また、ｂ系列がユーザによって選択された場合には、図８に示す撮影条件タグＴＧｐの情報に基づき、記録された全フレーム画像から図１５に示すフレーム画像ｇ２(ｂ１)、ｇ５(ｂ２)、ｇ８(ｂ３)、ｇ１１(ｂ４)が抽出されて、順番にＬＣＤ１６に再生表示される。
【０１０８】
また、ｃ系列がユーザによって選択された場合には、図８に示す撮影条件タグＴＧｐの情報に基づき、記録された全フレーム画像から図１５に示すフレーム画像ｇ３(ｃ１)、ｇ６(ｃ２)、ｇ９(ｃ３)、ｇ１２(ｃ４)が抽出されて、順番にＬＣＤ１６に再生表示される。
【０１０９】
以上の撮像装置１Ｂの動作により、表示フレームレートの３倍のフレームレートにおいて露出条件を３段階に変更しつつ撮影を行うため、１回の撮影で３種類の動画を簡易に取得できる。また、撮影前に適正と判断していた露出状態が撮影後に不満に感じても、露出状態の異なる他の動画を撮影しているため、ユーザが満足する動画の記録が期待できる。
【０１１０】
＜第３実施形態＞
本発明の第３実施形態に係る撮像装置１Ｃは、図１〜図３に示す第１実施形態と類似の構成を有しているが、制御部の構成が異なっている。
【０１１１】
すなわち、撮像装置１Ｃの制御部２０Ｃでは、以下で説明する動画撮影動作を行うための制御プログラムがＲＯＭ２０１内に格納されている。
【０１１２】
＜動画撮影動作＞
撮像装置１Ｃにおいては、第１実施形態の撮像装置１Ａと同様に、図４に示す９０ｆｐｓの動画撮影が可能であり、１回の撮影でａ〜ｃ系列３種類の動画を取得できる。そして、撮像装置１Ｃでは、第１実施形態のように合焦条件を３段階に変更するのはなく、ズーム条件（撮影レンズ１１に関する焦点距離の条件）を３段階に変更する。
【０１１３】
図１６は、３種類のズーム状態を説明するための図である。図１６(ａ)〜(ｃ)に示す各画像は、人物ＯＢが撮影されている。
【０１１４】
図１６(ａ)に示す画像は、ユーザが設定したズーム値(焦点距離)より、多少テレ側に設定して撮影した画像である。
【０１１５】
図１６(ｂ)に示す画像は、ユーザが設定したズーム値で撮影した画像である。
【０１１６】
図１６(ｃ)に示す画像は、ユーザが設定したズーム値より、多少ワイド側に設定して撮影した画像である。
【０１１７】
以上のように、撮像装置１Ｃでは３種類のズーム状態で撮影可能であるため、ユーザは、動画撮影時に画角を気にしないで撮影に専念できる。
【０１１８】
以上のような３種類のズーム状態の動画を取得する具体的な動画撮影動作を、次で説明する。
【０１１９】
図１７は、撮像装置１Ｃにおける動画撮影動作を説明するフローチャートである。本動作は、制御部２０Ｃによって実行される。撮影者は、ＬＣＤのプレビュー画面を見ながら、所望のズーム倍率設定を操作部材により行う。
【０１２０】
ステップＳＴ５１〜ＳＴ５５では、図６のフローチャートに示すステップＳＴ１〜ＳＴ５と同様の動作を行う。
【０１２１】
ステップＳＴ５６では、ユーザが指定したズーム値よりテレ側に設定する。具体的には、撮影前に操作ボタン１７１に対するユーザ操作(所定の処理)を経て設定された撮影レンズ１１の焦点距離(基準パラメータ)に対して、テレ側にズームレンズ１１１を移動させる。なお、この際には、フォーカスレンズ１１２も駆動して被写体の合焦状態が変化しないようにする。
【０１２２】
ステップＳＴ５７では、テレ側のズーム状態で図１６(ａ)に示すようなａ系列の画像を撮影する。ここで、撮像素子２１で取得された画像は、信号処理部２２で信号処理されメモリ２３に一旦格納された後に、画像処理部２４で画像処理が施されてメモリカード９に記録される。
【０１２３】
ステップＳＴ５８では、ユーザが指定したズーム値に設定する。具体的には、撮影前に設定された焦点距離に対応する位置に、ズームレンズ１１１を移動させる。なお、この際には、フォーカスレンズ１１２も駆動して被写体の合焦状態が変化しないようにする。
【０１２４】
ステップＳＴ５９では、ユーザ指定のズーム状態で図１６(ｂ)に示すようなｂ系列の画像を撮影する。
【０１２５】
ステップＳＴ６０では、ユーザが指定したズーム値よりワイド側に設定する。具体的には、撮影前に設定された焦点距離に対して、ワイド側にズームレンズ１１１を移動させる。なお、この際には、フォーカスレンズ１１２も駆動して被写体の合焦状態が変化しないようにする。
【０１２６】
ステップＳＴ６１では、ワイド側のズーム状態で図１６(ｃ)に示すようなｃ系列の画像を撮影する。
【０１２７】
ステップＳＴ６２〜ＳＴ６４では、図６のフローチャートに示すステップＳＴ１２〜ＳＴ１４と同様の動作を行う。
【０１２８】
以上のような動画撮影動作により、図１８に示す各フレームの画像が取得できることとなる。すなわち、ステップＳＴ５７の動作によってフレームｈ１(ａ１)、ｈ４(ａ２)、ｈ７(ａ３)、ｈ１０(ａ４)のａ系列の画像が順次に撮影され、ステップＳＴ５９の動作によってフレームｈ２(ｂ１)、ｈ５(ｂ２)、ｈ８(ｂ３)、ｈ１１(ｂ４)のｂ系列の画像が順次に撮影されるとともに、ステップＳＴ６１の動作によってフレームｈ３(ｃ１)、ｈ６(ｃ２)、ｈ９(ｃ３)、ｈ１２(ｃ４)のｃ系列の画像が順次に撮影される。
【０１２９】
以上のように撮影された動画の再生については、図９のフローチャートに示す第１実施形態と同様の動作を行う。
【０１３０】
すなわち、ａ系列がユーザによって選択された場合には、図８に示す撮影条件タグＴＧｐの情報に基づき、記録された全フレーム画像から図１８に示すフレーム画像ｈ１(ａ１)、ｈ４(ａ２)、ｈ７(ａ３)、ｈ１０(ａ４)が抽出されて、順番にＬＣＤ１６で再生表示される。
【０１３１】
また、ｂ系列がユーザによって選択された場合には、図８に示す撮影条件タグＴＧｐの情報に基づき、記録された全フレーム画像から図１８に示すフレーム画像ｈ２(ｂ１)、ｈ５(ｂ２)、ｈ８(ｂ３)、ｈ１１(ｂ４)が抽出されて、順番にＬＣＤ１６に再生表示される。
【０１３２】
また、ｃ系列がユーザによって選択された場合には、図８に示す撮影条件タグＴＧｐの情報に基づき、記録された全フレーム画像から図１８に示すフレーム画像ｈ３(ｃ１)、ｈ６(ｃ２)、ｈ９(ｃ３)、ｈ１２(ｃ４)が抽出されて、順番にＬＣＤ１６に再生表示される。
【０１３３】
以上の撮像装置１Ｂの動作により、表示フレームレートの３倍のフレームレートにおいてズーム条件（撮影レンズ１１の焦点距離の条件）を３段階に変更しつつ撮影を行うため、１回の撮影で３種類の動画を簡易に取得できる。また、撮影前に適正と判断していたズーム状態が撮影後に不満に感じても、ズーム状態の異なる他の動画を撮影しているため、ユーザが満足する動画の記録が期待できる。
【０１３４】
＜第４実施形態＞
本発明の第４実施形態に係る撮像装置１Ｄは、図１〜図３に示す第１実施形態と類似の構成を有しているが、制御部の構成が異なっている。
【０１３５】
すなわち、撮像装置１Ｄの制御部２０Ｄでは、以下で説明する動画撮影動作を行うための制御プログラムがＲＯＭ２０１内に格納されている。
【０１３６】
＜動画撮影動作＞
撮像装置１Ｄにおいては、第１実施形態の撮像装置１Ａと同様に、図４に示す９０ｆｐｓの動画撮影が可能であり、１回の撮影でａ〜ｃ系列３種類の動画を取得できる。そして、撮像装置１Ｄでは、第１実施形態のように合焦条件を３段階に変更するのはなく、ホワイトバランス(ＷＢ)条件を３段階に変更する。
【０１３７】
図１９は、３種類のＷＢ状態を説明するための図である。図１９(ａ)〜(ｃ)に示す各画像は、夕景が撮影されている。
【０１３８】
図１９(ａ)に示す画像は、ＷＢ演算部２７でＷＢ演算を行った後に、適正なＷＢ制御値より赤気味に設定して撮影した画像である。この場合、ＷＢ制御値が赤気味に設定されているため、鮮やかな夕景が映った画像が取得できる。
【０１３９】
図１９(ｂ)に示す画像は、ＷＢ演算部２７でＷＢ演算を行った後に、適正なＷＢ制御値(基準パラメータ)に設定して撮影した画像である。この場合、ＷＢ演算に基づく適正値で撮影されているものの、夕景として多少物足りない画像が取得される。
【０１４０】
図１９(ｃ)に示す画像は、ＷＢ演算部２７でＷＢ演算を行った後に、適正なＷＢ制御値より青気味に設定して撮影した画像である。この場合、ＷＢ制御値が青気味に設定されているため、夕景らしさが多少欠ける画像が取得される。
【０１４１】
以上のように、撮像装置１Ｄでは３種類のＷＢ状態で撮影可能であるため、ユーザは、動画撮影時に意図するホワイトバランスの状態であるか否かを気にしないで撮影に専念できる。
【０１４２】
以上のような３種類のＷＢ状態の動画を取得する具体的な動画撮影動作を、次で説明する。
【０１４３】
図２０は、撮像装置１Ｄにおける動画撮影動作を説明するフローチャートである。本動作は、制御部２０Ｄによって実行される。
【０１４４】
ステップＳＴ７１〜ＳＴ７５では、図６のフローチャートに示すステップＳＴ１〜ＳＴ５と同様の動作を行う。
【０１４５】
ステップＳＴ７６では、ホワイトバランスを赤気味に設定する。具体的には、ステップＳＴ７３で決定されたＲゲインおよびＢゲインのうち、Ｒゲインを大きくする。
【０１４６】
ステップＳＴ７７では、赤気味のＷＢ状態で図１９(ａ)に示すようなａ系列の画像を撮影する。ここで、撮像素子２１で取得された画像は、信号処理部２２で信号処理されメモリ２３に一旦格納された後に、画像処理部２４で画像処理が施されてメモリカード９に記録される。
【０１４７】
ステップＳＴ７８では、ホワイトバランスを適正値に設定する。具体的には、ステップＳＴ７３で決定されたＲゲインおよびＢゲインに設定する。
【０１４８】
ステップＳＴ７９では、適正なＷＢ状態で図１９(ｂ)に示すようなｂ系列の画像を撮影する。
【０１４９】
ステップＳＴ８０では、ホワイトバランスを青気味に設定する。具体的には、ステップＳＴ７３で決定されたＲゲインおよびＢゲインのうち、Ｂゲインを大きくする。
【０１５０】
ステップＳＴ８１では、青気味のＷＢ状態で図１９(ｃ)に示すようなｃ系列の画像を撮影する。
【０１５１】
ステップＳＴ８２〜ＳＴ８４では、図６のフローチャートに示すステップＳＴ１２〜ＳＴ１４と同様の動作を行う。
【０１５２】
以上のような動画撮影動作により、図２１に示す各フレームの画像が取得できることとなる。すなわち、ステップＳＴ７７の動作によってフレームｋ１(ａ１)、ｋ４(ａ２)、ｋ７(ａ３)、ｋ１０(ａ４)のａ系列の画像が順次に撮影され、ステップＳＴ７９の動作によってフレームｋ２(ｂ１)、ｋ５(ｂ２)、ｋ８(ｂ３)、ｋ１１(ｂ４)のｂ系列の画像が順次に撮影されるとともに、ステップＳＴ８１の動作によってフレームｋ３(ｃ１)、ｋ６(ｃ２)、ｋ９(ｃ３)、ｋ１２(ｃ４)のｃ系列の画像が順次に撮影される。
【０１５３】
以上のように撮影された動画の再生については、図９のフローチャートに示す第１実施形態と同様の動作を行う。
【０１５４】
すなわち、ａ系列がユーザによって選択された場合には、図８に示す撮影条件タグＴＧｐの情報に基づき、記録された全フレーム画像から図２１に示すフレーム画像ｋ１(ａ１)、ｋ４(ａ２)、ｋ７(ａ３)、ｋ１０(ａ４)が抽出されて、順番にＬＣＤ１６で再生表示される。
【０１５５】
また、ｂ系列がユーザによって選択された場合には、図８に示す撮影条件タグＴＧｐの情報に基づき、記録された全フレーム画像から図２１に示すフレーム画像ｋ２(ｂ１)、ｋ５(ｂ２)、ｋ８(ｂ３)、ｋ１１(ｂ４)が抽出されて、順番にＬＣＤ１６に再生表示される。
【０１５６】
また、ｃ系列がユーザによって選択された場合には、図８に示す撮影条件タグＴＧｐの情報に基づき、記録された全フレーム画像から図２１に示すフレーム画像ｋ３(ｃ１)、ｋ６(ｃ２)、ｋ９(ｃ３)、ｋ１２(ｃ４)が抽出されて、順番にＬＣＤ１６に再生表示される。
【０１５７】
以上の撮像装置１Ｄの動作により、表示フレームレートの３倍のフレームレートにおいてＷＢ条件を３段階に変更しつつ撮影を行うため、１回の撮影で３種類の動画を簡易に取得できる。また、撮影前に適正と判断していたＷＢ状態が撮影後に不満に感じても、ＷＢ状態の異なる他の動画を撮影しているため、ユーザが満足する動画の記録が期待できる。
【０１５８】
＜変形例＞
◎上記の第１実施形態においては、合焦位置を主被写体に対して主被写体側、適性、カメラ側と繰り返すのは必須でなく、例えば被写体側→適性→カメラ側→適性→被写体側→・・・のようにフォーカスレンズを合焦位置を中心に前後に振るように条件を変更するようにしても良い。すなわち、主被写体合焦に対応する基準パラメータを中心に、前後の制御パラメータを振幅として振動させるようにして合焦条件を変更させる。このように合焦条件を変更すると、スムーズなレンズ駆動が可能となり、レンズの駆動量を削減できる。
【０１５９】
また、第２実施形態および第３実施形態についても、上記の合焦条件の変更と同様に、露出条件や焦点距離の条件を変更するようにしても良い。
【０１６０】
◎上記の各実施形態においては、動画を表示する際の表示フレームレート(３０ｆｐｓ)に対して３倍のフレームレート(９０ｆｐｓ)で動画撮影を行うのは必須でなく、２倍や４倍以上のフレームレート、つまりＮ倍（Ｎは２以上の整数）のフレームレートで動画撮影を行っても良い。この時、Ｎを大きくして多くの条件で撮影を行えば、適性条件に対して、さらに幅を持たせた撮影が可能であり、ユーザの満足のいく動画を得ることのできる可能性がより高くなる。
【０１６１】
一方、ピント条件などの撮影条件を３段階に変更するのは必須でなく、例えば２段階に変更するようにしても良い。すなわち、フレームレートの倍数と撮影条件の倍数とは一致させる必要がない。撮影条件をＭ段階（Ｍは整数で２≦Ｍ≦Ｎ）に変更するパターンに基づく撮影条件の変更を行いつつ、撮影しても良い。
【０１６２】
また、動画を表示する際のフレームレートと同一のフレームレート(３０ｆｐｓ)で撮影条件を変更しつつ動画撮影を行っても良い。この場合、例えば撮影条件を３段階に変更して動画撮影を行えば、各系列ａ〜ｃの動画再生時には１０ｆｐｓのフレームレートとなって滑らかな動きが犠牲となるものの、動画ファイルのサイズを削減でき、またカメラの処理能力が低い場合でも撮影可能となる。
【０１６３】
◎上記の各実施形態においては、撮影条件として合焦状態、露出の条件、撮像光学系に係る焦点距離の条件、およびホワイトバランスの条件のうち１つの条件を変更するのは必須でなく、これら４種類の撮影条件から複数の条件を組合わせて変更するようにしても良い。こうすることで、ユーザが満足する動画を得ることのできる可能性はさらに高くなる。
【０１６４】
◎上記の各実施形態においては、撮像素子としてＣＭＯＳを使用するのは必須でなく、ＣＣＤを使用しても良い。
【０１６５】
◎上記の各実施形態においては、撮像装置(カメラ)で再生行うのは必須でなく、例えばメモリカード９に記録された動画ファイルをパーソナルコンピュータなどで再生するようにしても良い。
【０１６６】
◎上記の各実施形態の動画フォーマットについては、ＭｏｔｉｏｎＪＰＥＧ形式を用いるのは必須でなく、ＭＰＥＧ形式を用いても良い。
【図面の簡単な説明】
【０１６７】
【図１】本発明の第１実施形態に係る撮像装置１Ａを示す斜視図である。
【図２】撮像装置１Ａの背面図である。
【図３】撮像装置１Ａの機能ブロックを示す図である。
【図４】撮像装置１Ａにおける動画撮影動作および再生動作を説明するための図である。
【図５】３種類の合焦状態を説明するための図である。
【図６】撮像装置１Ａにおける動画撮影動作を説明するフローチャートである。
【図７】動画撮影によって取得されるフレーム画像を説明するための図である。
【図８】メモリカード９に記録されたフレーム画像のデータ配列を示す図である。
【図９】撮像装置１Ａにおける動画再生動作を説明するフローチャートである。
【図１０】再生する動画ファイルを選択する選択画面ＧＮ１を示す図である。
【図１１】再生する系列を選択する選択画面ＧＮ２を示す図である。
【図１２】再生動作を説明するための図である。
【図１３】本発明の第２実施形態に係る撮像装置１Ｂにおける３種類の露出状態を説明するための図である。
【図１４】撮像装置１Ｂにおける動画撮影動作を説明するフローチャートである。
【図１５】動画撮影によって取得されるフレーム画像を説明するための図である。
【図１６】本発明の第３実施形態に係る撮像装置１Ｃにおける３種類のズーム状態を説明するための図である。
【図１７】撮像装置１Ｃにおける動画撮影動作を説明するフローチャートである。
【図１８】動画撮影によって取得されるフレーム画像を説明するための図である。
【図１９】本発明の第４実施形態に係る撮像装置１Ｄにおける３種類のＷＢ状態を説明するための図である。
【図２０】撮像装置１Ｄにおける動画撮影動作を説明するフローチャートである。
【図２１】動画撮影によって取得されるフレーム画像を説明するための図である。
【符号の説明】
【０１６８】
１Ａ〜１Ｄ  撮像装置
９  メモリカード
１６  液晶ディスプレイ(ＬＣＤ)
２０Ａ〜２０Ｄ  制御部
２１  撮像素子
２２  信号処理部
２３  メモリ
２４  画像処理部
２５  合焦演算部
２６  ＡＥ演算部
２７  ＷＢ演算部
１１１  ズームレンズ
１１２  フォーカスレンズ
１７１〜１７３  操作ボタン
２０１  ＲＯＭ
ａ１〜ａ４  ａ系列の画像
ｂ１〜ｂ４  ｂ系列の画像
ｃ１〜ｃ４  ｃ系列の画像
ｆ１〜ｆ１２、ｇ１〜ｇ１２、ｈ１〜ｈ１２、ｋ１〜ｋ１２  フレーム画像
ＧＮ１、ＧＮ２  選択画面
ＴＧｐ  撮影条件タグ
【図１】
2006025310.tif 000003
【図２】
2006025310.tif 000004
【図３】
2006025310.tif 000005
【図４】
2006025310.tif 000006
【図５】
2006025310.tif 000007
【図６】
2006025310.tif 000008
【図７】
2006025310.tif 000009
【図８】
2006025310.tif 000010
【図９】
2006025310.tif 000011
【図１０】
2006025310.tif 000012
【図１１】
2006025310.tif 000013
【図１２】
2006025310.tif 000014
【図１３】
2006025310.tif 000015
【図１４】
2006025310.tif 000016
【図１５】
2006025310.tif 000017
【図１６】
2006025310.tif 000018
【図１７】
2006025310.tif 000019
【図１８】
2006025310.tif 000020
【図１９】
2006025310.tif 000021
【図２０】
2006025310.tif 000022
【図２１】
2006025310.tif 000023